(57)【要約】【課題】レンズ装置を光軸に沿って撮像装置本体部のマウント係合部に装着し、レンズ装置を回転させずに固定する構成にて、接点部に付着しているゴミや異物等に対する除去効果（セルフクリーニング効果）により接触の信頼性を高めること。【解決手段】撮像装置は本体部に、レンズ装置を装着して係合固定するためのマウント部を備える。通信用に設けられた複数の接点部は、回転しながら光軸方向に対して移動可能な可動接点をそれぞれ有する。レンズ装置を本体部のマウント部に挿入する際、レンズ装置の固定接点（レンズ接点端子片１０４）と可動接点（可動接点端子ピン１４１）とが接触する。固定接点に接触する可動接点の接触部（接触位置１０８ａ参照）が回転しつつ、光軸方向に移動することで接点同士が擦れ合う構造とした。【選択図】  図５
2015075586.tif 000002
【特許請求の範囲】
【請求項１】
レンズ装置がマウント部に装着された状態にて、前記レンズ装置に設けた接点部と接触する複数の接点部を備えた撮像装置であって、
前記複数の接点部は前記マウント部に配置され、前記レンズ装置を前記マウント部に挿入するにしたがって、前記レンズ装置の接点部に接触する接触部が回転しつつ移動する可動接点をそれぞれ有することを特徴とする撮像装置。
【請求項２】
前記可動接点にはその回転中心軸から偏倚した位置に突起部が設けられており、前記レンズ装置を前記マウント部に挿入した際、前記レンズ装置の接点部に対して前記可動接点の突起部が回転しつつ接触することを特徴とする請求項１に記載の撮像装置。
【請求項３】
前記可動接点を構成する端子ピンがそれぞれ挿入される貫通穴部を有する第１ホルダ部材と、
前記端子ピンを支持する第２ホルダ部材と、を備えることを特徴とする請求項２に記載の撮像装置。
【請求項４】
前記第１ホルダ部材は第１のカム部を有し、
前記第２ホルダ部材は前記第１のカム部に対向する第２のカム部を有し、
前記端子ピンは可動接点端子ピンおよび固定接点端子ピンを備え、前記可動接点端子ピンに設けたカム移動ピンが前記第１のカム部または前記第２のカム部に沿って移動することにより前記可動接点端子ピンが回転することを特徴とする請求項３に記載の撮像装置。
【請求項５】
前記可動接点端子ピンを、前記第１のカム部に対して付勢する付勢部材を備えることを特徴とする請求項４に記載の撮像装置。
【請求項６】
前記固定接点端子ピンと接触する基板を備え、
前記付勢部材は、前記固定接点端子ピンを前記基板に対して付勢することを特徴とする請求項５に記載の撮像装置。
【請求項７】
前記レンズ装置と撮像装置の本体部を相対的に回転させずに、前記レンズ装置を光軸方向に沿って前記撮像装置に装着して固定するマウント係合部を備えることを特徴とする請求項１ないし６のいずれか１項に記載の撮像装置。
【請求項８】
前記マウント部は、固定マウント部、および前記レンズ装置と係合する可動マウント部を備え、
ロック機構部を有する前記可動マウント部が前記固定マウント部に係合した状態で回動することにより、前記レンズ装置は前記撮像装置のマウント部と密着した状態で固定されることを特徴とする請求項７に記載の撮像装置。
【請求項９】
前記ロック機構部は、前記可動マウント部に取り付けた腕部を備え、該腕部に回転操作部材が接続されていることを特徴とする請求項８に記載の撮像装置。
【請求項１０】
撮像装置のマウント部に装着された状態にて、前記撮像装置に設けた接点部と接触する複数の接点部を備えたレンズ装置であって、
前記複数の接点部は、前記レンズ装置を前記マウント部に挿入するにしたがって、前記撮像装置の接点部に接触する接触部が回転しつつ移動する可動接点をそれぞれ有することを特徴とするレンズ装置。
【発明の詳細な説明】
【技術分野】
【０００１】
本発明は、レンズ交換可能な撮像装置において、撮像装置本体部のマウント係合部に対し、レンズ装置を光軸方向に沿って装着し、互いに接触することで通信を行う為の接点構造に関するものである。
【背景技術】
【０００２】
レンズ装置を撮像装置本体部に装着して使用する交換レンズ式システムには、レンズ装置を光軸方向に沿って直線的に撮像装置本体部のマウント係合部へ挿入し、レンズ装置を回転させて固定する第１のタイプがある。特許文献１には、回動着脱式のレンズ鏡筒マウントを有する交換レンズ鏡筒が開示されている。カメラ本体側のコネクターに圧接導通する電気コネクターは、接点カバー、接点ピンを個設した接点支持板、導通部を有する導体支持板、導通部を接点支持板に個設した接点ピンに圧接する弾性部材で構成されている。レンズ装置を撮像装置本体部に装着する際、ユーザがレンズ装置を回動させる。接点部同士が擦れ合う構造であるため、接点部にゴミや異物等が付着している場合に、除去効果（所謂セルフクリーニング）が発揮される。
【０００３】
一方、レンズ装置を光軸方向に沿って直線的に撮像装置本体部のマウント係合部に挿入し、レンズ装置を回転させずに固定する第２のタイプがある。レンズ装着の際、撮像装置本体部に構成したレンズ固定部材を回転して引き込む事でレンズ装置が撮像装置本体部に取り付けられて固定される。例えば、映画撮影用カメラで採用されているレンズマウント方式では、レンズ装置と撮像装置本体部との通信用接点として、一方の固定接点と、他方の可動接点（光軸に平行な方向に移動可能に付勢された接点）が設けられ、接触圧力が確保される。ＰＬ（Positive Lock）マウントタイプの接点部として、多ピンの基板間コネクタによる各種の構造が知られている。
【先行技術文献】
【特許文献】
【０００４】
【特許文献１】特許３７３３２４０号公報
【発明の概要】
【発明が解決しようとする課題】
【０００５】
前記第２のタイプでは、ユーザがレンズ装置を回転させずに、撮像装置本体部側のレンズ固定部材を回して引き込む動作が行われる。その際にレンズ装置は回転しないので、レンズ装置側の接点と撮像装置本体部側の接点とが互いに擦れ合う事が無い。これらの接点は点接触状態を維持し、接触圧によって導通を保つ構造となるため、セルフクリーニング動作が行われない。このため、接触の信頼性に対する配慮が十分でない可能性があった。
本発明の目的は、レンズ装置を光軸に沿って撮像装置本体部のマウント係合部に装着し、レンズ装置を回転させずに固定する構成にて、接点部に付着しているゴミや異物等に対する除去効果（セルフクリーニング効果）により接触の信頼性を高めることである。
【課題を解決するための手段】
【０００６】
上記課題を解決するために、本発明に係る撮像装置は、レンズ装置がマウント部に装着された状態にて、前記レンズ装置に設けた接点部と接触する複数の接点部を備え、前記複数の接点部は前記マウント部に配置され、前記レンズ装置を前記マウント部に挿入するにしたがって、前記レンズ装置の接点部に接触する接触部が回転しつつ移動する可動接点をそれぞれ有する。
本発明に係るレンズ装置は、撮像装置のマウント部に装着された状態にて、前記撮像装置に設けた接点部と接触する複数の接点部を備え、前記複数の接点部は、前記レンズ装置を前記マウント部に挿入するにしたがって、前記撮像装置の接点部に接触する接触部が回転しつつ移動する可動接点をそれぞれ有する。
【発明の効果】
【０００７】
本発明によれば、レンズ装置を光軸に沿って撮像装置本体部のマウント係合部に装着し、レンズ装置を回転させずに固定する構成にて、接点部に付着しているゴミや異物等に対する除去効果を奏する。
【図面の簡単な説明】
【０００８】
【図１】図２から図１８と併せて本発明の実施形態を説明するために、撮像装置の構成例を示す斜視図である。
【図２】撮像装置本体部のマウント係合部の構成例を示す斜視図である。
【図３】レンズ装置のマウント係合部の構成例を示す斜視図である。
【図４】マウント接点ユニットの分解斜視図である。
【図５】レンズ装置と撮像装置本体部との嵌合前に接点が接触している状態を示す断面図である。
【図６】レンズ装置と撮像装置本体部とのマウント嵌合状態を示す断面図である。
【図７】図８から図１３と併せて回転及び伸縮可能な可動接点部の動作を説明する図である。
【図８】図７に続く可動接点部の動作の説明図である。
【図９】図８に続く可動接点部の動作の説明図である。
【図１０】レンズ装置と撮像装置本体部のマウント嵌合状態における可動接点部の位置関係を示す説明図である。
【図１１】マウント嵌合状態を解除する動作が開始した状態を示す説明図である。
【図１２】図１１に続く可動接点部の動作の説明図である。
【図１３】レンズ装置が撮像装置本体部から外れた状態での可動接点部を示す説明図である。
【図１４】マウント部の構成例を示す分解斜視図である。
【図１５】レンズ装置側のマウント部の簡易形状を示す斜視図である。
【図１６】レンズ装置を撮像装置本体部に締結固定するロック動作を説明する正面図である。
【図１７】図１６の指示線Ａ，Ｂ，Ｃに示す各位置での断面図である。
【図１８】図１６のＤ部，Ｅ部，Ｆ部の詳細図である。
【発明を実施するための形態】
【０００９】
本発明の実施形態について、添付図面を参照して詳細に説明する。
図１は本実施形態に係る撮像装置の外観を示す斜視図である。図示の撮像装置はレンズ交換式カメラであり、撮像装置本体部（以下、単に「本体部」という）２００にレンズ装置１００を装着した状態を示す。撮像装置は前記第２のタイプ、つまり、レンズ装置１００を光軸に沿って本体部２００のマウント係合部に装着し、本体部２００に対して相対的にレンズ装置１００を回転させずに固定する構成を有する。
グリップ部２０１は、本体部２００にレンズ装置１００を装着した状態で、ユーザが手持ち撮影を行う際に把持する部分である。表示ファインダ２０２は、撮影した画像や撮影条件等の情報を表示してユーザに提示する。図１の断面Ｚ−Ｚ指示線は、レンズ装置１００の光軸を通る縦平面に直交する矢視方向から見た場合の断面指示線である。
【００１０】
図２は、レンズ装置１００が装着される本体部２００側のレンズマウント係合部の構成を示す斜視図である。以下では、本体部２００においてレンズ装置１００が装着される側を前側とし、その逆方向で像面側を後側と定義する。また、本体部２００に装着されたレンズ装置１００の光軸に近づく側を内側または内径側と定義して、各部の位置関係を説明する。また撮像光学系を構成するレンズ群の光軸に平行な方向を光軸方向と定義する。
マウント接点端子ユニット（以下、接点ユニットという）１０１は、固定マウント部２２０、可動マウント部２４０の内径部に配置される。接点ユニット１０１には、複数のマウント接点端子ピン１０２（以下、端子ピンという）が配置されており、レンズ装置１００内の回路部と本体部２００内の回路部との間で通信用の信号伝達が行われる。複数の端子ピン１０２はマウント部を構成するホルダ部材に形成した貫通穴部に挿入されて前方に突出しており、マウント部の形状に合わせて円弧上に配置されている。各端子ピン１０２は、本体部２００に装着されたレンズ装置１００の光軸に対して略平行な方向に沿って移動可能に支持され、前方に向けてバネ等の弾性部材で付勢されている。構成の詳細については後述する。
【００１１】
図３はレンズ装置１００のマウント係合部の構成を示す斜視図である。レンズ接点端子ユニット１０３はレンズマウント１１０の内径部に配置され、複数のレンズ接点端子片（以下、接点端子片という）１０４が露出した状態で配置されている。
レンズ装置１００の装着手順として、ユーザはまず、レンズ装置１００を本体部２００に対して位置合わせを行う。ユーザは、光軸が略一致し、かつレンズマウント１１０と固定マウント部２２０の所定の嵌合位相に略一致した場所にレンズ装置１００を保持し、そのまま光軸方向に移動させる。レンズマウント１１０と固定マウント部２２０が嵌合した状態で、ユーザは図２の回転操作部材１０９ａ、１０９ｂを使って回転操作を行い、レンズマウント１１０と固定マウント部２２０を密着させて係合し、取り付け操作を完了する。回転操作部材１０９ａ、１０９ｂは後述するロック機構部と接続され、ロック機構部を成す腕部（図１４：２６０ａ、２６０ｂ参照）に接続されている。これらの腕部は可動マウント部（図１４：２４０参照）に接続されている。尚、本実施形態では、本体部２００側の接点端子が可動端子であり、レンズ装置１００側の接点端子が固定端子である。これとは逆に、本体部２００側を固定端子とし、レンズ装置１００側を可動端子としてもよく、製品の仕様に応じて適宜に設定可能である。
【００１２】
図４は接点ユニット１０１の分解斜視図である。図４（Ａ）は斜め前方から見た場合を示し、図４（Ｂ）は斜め後方から見た場合を示す。接点部は複数の端子ピン１０２により構成され、マウント部の円周形状（ホルダ部材１４３及び１４９参照）に対して円弧上に配置されている。
複数の端子ピン１０２はそれぞれ、可動接点端子ピン１４１と、固定接点端子ピン１４２と、接点端子バネ１４８を有し、１つの接点を構成する。各端子ピン１０２は、第１ホルダ部材である接点フロントホルダ１４３に形成した貫通穴部１４３ｂにそれぞれ挿入され、後方に配置される接点リアホルダ（第２ホルダ部材）１４９により支持された状態でマウント接点ベース１４４に組み込まれる。接点フロントホルダ１４３の背面部には、第１のカム部として接点フロントホルダカム部１４３ａが形成されている。接点リアホルダ１４９の前面部には、接点フロントホルダカム部１４３ａに対向する第２のカム部として接点リアホルダカム部１４９ａが形成されている。これらのカム部は可動接点端子ピン１４１を、その移動時に回転させる機構部を構成する。
【００１３】
マウント接点ＦＰＣ（フレキシブルプリント基板）１４５は、本体部２００の回路部に信号を伝えるため、導体部が固定接点端子ピン１４２と接触する。マウント接点ＦＰＣ１４５は押さえ部材１４６によって保持される。接点ユニット１０１を結合する複数のビス１４７は、接点リアホルダ１４９と、マウント接点ベース１４４と、マウント接点ＦＰＣ１４５と、押さえ部材１４６の各穴に挿通され、接点フロントホルダ１４３のタップ穴部１４３ｃにそれぞれ締結される。これにより接点ユニット１０１が組み上がる。
【００１４】
図５はレンズ装置１００を本体部２００に装着する際、接点端子片１０４と端子ピン１０２とが接触を開始した状態を示す断面図である。
レンズ装置１００に配置した接点端子片１０４は、本体部２００に配置した可動接点端子ピン１４１の先端部と接触する。本実施形態では可動接点端子ピン１４１の先端部に、１つの突起部が形成されているが、突起部は複数でもよいし、または突条の形状部でもよい。両者は接触位置１０８ａで点接触状態である。可動接点端子ピン１４１の突出位置については、接点ホルダ１４３に形成したフロントカム面１５１ａで規制される。接点端子バネ１４８は、可動接点端子ピン１４１をフロントカム面１５１ａに対して、弾性力によって付勢する導電性の付勢部材である。また、接点端子バネ１４８の弾性力によってその反対側の固定接点端子ピン１４２にもマウント接点ＦＰＣ１４５に対して付勢力が加わる。接触位置１０７にて、固定接点端子ピン１４２の先端部はマウント接点ＦＰＣ１４５の導体部と接触している。接点端子片１０４からマウント接点ＦＰＣ１４５までの電気的接続については、可動接点端子ピン１４１と固定接点端子ピン１４２との間に配置される接点端子バネ１４８の付勢力によって接触圧が確保されるので、各々の金属部品同士が確実に導通する状態となる。
【００１５】
接点端子片１０４と可動接点端子ピン１４１とが接触を開始する位置において、レンズマウント１１０と、本体部２００に配置した固定マウント部２２０との突き当て面部１０５は互いに離間した状態である。この状態でレンズ装置１００側のマウント嵌合部（矢印１３１で示す部分）と、本体部２００側の固定マウント嵌合部（矢印１３２で示す部分）は離間している。尚、これらのマウント嵌合部の寸法及び公差は、両者が嵌合した際に径方向で位置が決まるように設定されている。
【００１６】
図６は、図５の状態からレンズ装置１００を本体部２００側へと更に接近させることで、レンズ装置１００と本体部２００が係合した状態を示す断面図である。
レンズマウント１１０は、本体部２００の固定マウント部２２０に対し、光軸方向にて突き当て面部１０５に当接している。レンズ装置１００側のマウント嵌合部１３１と、本体部２００側の固定マウント嵌合部１３２は、光軸に対して直交する径方向に嵌合されて位置が決定される。マウント嵌合のストロークを図５の矢印１３３に示す。
【００１７】
接点端子片１０４は可動接点端子ピン１４１の先端部に接触したままで、矢印１０６ｂ方向に移動する。接点端子片１０４と可動接点端子ピン１４１は接触状態を保ちつつ、可動接点端子ピン１４１が回転する。これにより接触位置１０８ａから１０８ｂに変化する。この接触位置の移動幅１０８に相当する範囲において、接点端子片１０４と可動接点端子ピン１４１とが互いに擦れ合う事になる。よって、接点に付着した塵埃等を除去するセルフクリーニング動作が行われる。
この様に本実施形態では、レンズ装置を撮像装置本体部に取り付ける際、両者を相対的に回転させる操作を必要とせずに、互いの接点が擦れ合うので、セルフクリーニング効果が発揮され、接触の信頼性を確保できる。
【００１８】
次に、図７から図１３を参照して、可動接点端子ピン１４１の移動及び回転機構について詳細に説明する。図７は可動接点の動作を説明する図である。図７（Ａ）は接点端子ピンとカム部との関係を、簡略化した形状で示す斜視図である。図７（Ｂ）はカム部の展開図であり、図７（Ａ）の斜視図に示す位置でのカム状態を示す。図７はレンズ装置１００を本体部２００に装着する前または装着を開始した状態（図５参照）を示している。
【００１９】
フロントホルダカム部１５１は、非可動部品である接点フロントホルダカム部１４３ａにおいてカム部だけを略式化した形状を示したものであり、以下、フロントカム部という。フロントカム部１５１のカム面を、フロントカム面１５１ａとする。同様に、リアホルダカム部１５２は、非可動部品である接点リアホルダカム部１４９ａにおいてカム部だけを略式化した形状を示したものであり、以下、リアカム部という。リアカム部１５２のカム面をリアカム面１５２ａとする。
カム移動ピン１５３ａと１５３ｂは可動接点端子ピン１４１に一体で構成されており、可動接点端子ピン１４１の回転中心軸回りにて互いに反対側に位置する。カム移動ピン１５３ａと１５３ｂはフロントカム面１５１ａとリアカム面１５２ａとの間に配置される。
【００２０】
凸部１５４は、可動接点端子ピン１４１の先端部に形成された突起部である。凸部１５４は、可動接点端子ピン１４１の回転中心軸から、当該軸に直交する方向に偏倚しているので、可動接点端子ピン１４１の回転によって接点端子片１０４との接触位置を変える事ができる。可動接点端子ピン１４１は接点端子バネ１４８によって方向指示線１０６ａで示す方向に付勢される。よって、図７（Ｂ）に示すように、カム移動ピン１５３ａ及び１５３ｂはそれぞれ、接点端子バネ１４８の付勢力でフロントカム面１５１ａの基準位置となる部分１５５ａ及び１５５ｂに当接する。図７（Ｂ）では可動接点端子ピン１４１の回転中心軸における回転角について、部分１５５ａに相当する位置を原点０°（及び３６０°）と定義し、部分１５５ｂに相当する位置を１８０°と定義する。
可動接点端子ピン１４１が接点端子片１０４に当接する前には、カム移動ピン１５３ａ及び１５３ｂが、前方（レンズ装置側）へ最も突出する位置であるフロントカム面１５１ａ上の部分１５５ａ及び１５５ｂの位置に収まり、待機状態となっている。
【００２１】
図８は、図７の状態から可動接点端子ピン１４１が接点端子片１０４に当接し、方向指示線１０６ｂの方向への移動を開始し、カム移動ピン１５３ａ及び１５３ｂがリアカム面１５２ａに接触した状態を示す図である。尚、図８から図１３は、カム移動ピンとカム面との位置関係の相違を除いて図７と同様の図面である。
図８（Ｂ）に示すように、カム移動ピン１５３ａ及び１５３ｂは、リアカム面１５２ａの部分１５６ａ及び１５６ｂにそれぞれ接触している。リアカム面１５２ａの部分１５６ａ及び１５６ｂは、原点０°を通る基準軸に対して傾斜した面を有する。図８（Ａ）の方向指示線１０６ｂで示す方向に可動接点端子ピン１４１が押されると、図８（Ｂ）に示す状態となる。カム移動ピン１５３ａ及び１５３ｂはリアカム面１５２ａの部分１５６ａ及び部分１５６ｂに沿ってそれぞれ図８（Ｂ）の左下方向へ移動するので、可動接点端子ピン１４１が回転を開始する。
【００２２】
図９は、図８の状態から可動接点端子ピン１４１が更に方向指示線１０６ｂの方向に移動し、カム移動ピン１５３ａ及び１５３ｂがリアカム面１５２ａに沿って接触しながら移動した状態を示す図である。
可動接点端子ピン１４１は、その凸部１５４が接点端子片１０４に当接した状態でさらに押され、方向指示線１０６ｂの方向に移動する。これに伴い、カム移動ピン１５３ａ及び１５３ｂはリアカム面１５２ａに接触した状態で、カム形状部に沿って図９（Ｂ）に示す部分１５７ａ及び１５７ｂの位置に移動する。部分１５７ａの位置は角度４５°の付近に相当し、部分１５７ｂの位置は角度２２５°の付近に相当する。可動接点端子ピン１４１は、図９（Ａ）に示す方向指示線１０６ｃの方向に回転する。この回転によって、可動接点端子ピン１４１の凸部１５４と接点端子片１０４との接触位置が変化して擦れ合うので、接点間でセルフクリーニング動作が行われる。
【００２３】
図１０は、図９の状態から可動接点端子ピン１４１が更に方向指示線１０６ｂの方向に移動し、レンズ装置１００と本体部２００とが嵌合した状態（図６に相当する状態）を示す。
可動接点端子ピン１４１は、その凸部１５４が接点端子片１０４に当接しつつ、方向指示線１０６ｂの方向に移動する。カム移動ピン１５３ａ及び１５３ｂはリアカム面１５２ａに沿って方向指示線１０６ｃの方向に回転し、部分１５８ａ及び１５８ｂの位置に移動する。部分１５８ａの位置は角度９０°に相当し、部分１５８ｂの位置は角度２７０°に相当する。凸部１５４は接点端子片１０４と接触を開始してから、レンズ装置１００と本体部２００との係合位置まで回転するため、接触状態を維持したままで９０°に相当する範囲でのセルフクリーニング動作が行われる。尚、この係合移動量は９０°に限らず、構成によってはその他の角度でもよく、任意に設定可能である。
【００２４】
リアカム面１５２ａの部分１５８ａ及び１５８ｂの位置では、可動接点端子ピン１４１と接点端子片１０４との係合ストロークの誤差を吸収する為、本来的には隙間を持たせる設定となる。しかし、本実施形態では、カム移動ピン１５３ａ及び１５３ｂとリアカム面１５２ａに対する動作及び位置の説明の都合上、接触状態であるとして説明する。
【００２５】
図１１は、図１０の状態からレンズ装置１００と本体部２００との嵌合を解除する動作が開始した際の状態を示す。
レンズ装置１００を本体部２００から離間させる操作が開始する事で、可動接点端子ピン１４１は接点端子バネ１４８の付勢力によって方向指示線１０６ａの方向への移動を開始する。カム移動ピン１５３ａ及び１５３ｂはフロントカム面１５１ａの部分１５９ａ及び１５９ｂにそれぞれ接触する。部分１５９ａ及び１５９ｂは、９０°及び２７０°で示す前後方向の軸に対して傾斜した面をそれぞれ有する。図１１の方向指示線１０６ａの方向に可動接点端子ピン１４１が移動するのに伴い、カム移動ピン１５３ａ及び１５３ｂは、図１１（Ｂ）にてフロントカム面１５１ａの右下方向に移動するので、可動接点端子ピン１４１が回転を開始する。
【００２６】
図１２は、図１１の状態から可動接点端子ピン１４１が更に方向指示線１０６ａの方向に移動し、カム移動ピン１５３ａ及び１５３ｂが接点端子バネ１４８の付勢力によってフロントカム面１５１ａに沿って接触しながら移動した状態を示す。
レンズ装置１００と本体部２００との離間距離が大きくなるにつれて、カム移動ピン１５３ａ及び１５３ｂはフロントカム面１５１ａに沿って図１２（Ａ）の方向指示線１０６ｃの方向に回転し、部分１６０ａ及び１６０ｂの位置に移動する。部分１６０ａの位置は角度１３５°の付近に相当し、部分１６０ｂの位置は角度３１５°の付近に相当する。可動接点端子ピン１４１の凸部１５４と接点端子片１０４とが接触を維持した状態で、可動接点端子ピン１４１が方向指示線１０６ｃの方向に回転するので、レンズ装置１００と本体部２００の係合解除動作時でも、接点間でのセルフクリーニング動作が行われる。
【００２７】
図１３は、図１２の状態から可動接点端子ピン１４１が更に方向指示線１０６ａ方向に移動し、レンズ装置１００が本体部２００から外れた非装着状態を示す。可動接点端子ピン１４１のカム移動ピン１５３ａ及び１５３ｂは、フロントカム面１５１ａに沿って回転し、部分１６１ａ及び１６１ｂの位置に移動する。部分１６１ａの位置は角度１８０°に相当し、部分１６１ｂの位置は角度０°（３６０°）に相当する。つまり、図７に示す状態とは、可動接点端子ピン１４１の凸部１５４の位置が回転中心軸を挟んで正反対の位置関係となる。
【００２８】
本実施形態では、本体部からレンズ装置が外れた装着前状態から係合動作を開始して係合状態となり、さらにレンズ装置の係合が解除されるまでの着脱サイクルにおいて、可動接点端子ピン１４１の動作を、カムで回転に変換している。可動接点端子ピン１４１に形成した凸部１５４が接点端子片１０４との接触を維持しながら回転することにより、セルフクリーニング動作が行われるので、接点の接触について信頼性を確保できる。また、本実施形態では、着脱サイクルでの一連の動作による着脱移動量を１８０°とした。接触開始からの移動の角度については任意に設定可能である。
【００２９】
次に、レンズ装置１００を本体部２００に固定するロック機構部について説明する。
図１４（Ａ）は、本実施形態に係るレンズ装着機構部の要部を、本体部２００の正面から見た場合の分解斜視図であり、図１４（Ｂ）は、背面から見た場合の分解斜視図である。尚、図１４にて、レンズ装置１００についてはマウント部１１０のみを示す。図１５は、レンズ装置１００を構成するマウント部１１０の一部１２０を、正面側から見た場合の斜視図である。レンズ装着機構部は、レンズ装置１００側のマウント部１１０と、本体部２００側の構成部、つまり固定部２１０と、固定マウント部２２０と、可動マウント部２４０と、腕部２６０ａ及び２６０ｂで構成される。
【００３０】
マウント部１１０は、マウント面部１１１と、バヨネット爪部１１２ａ〜ｃを備える。バヨネット爪部１１２ａ〜ｃはそれぞれ爪接触面部１１３ａ〜ｃを有する。図１５に示すように、マウント部の一部１２０は、バヨネット爪部１２２ａ〜ｃと、爪接触面部１２３ａ〜ｃと備える。バヨネット爪部１２２ａ〜ｃは、図１４のバヨネット爪部１１２ａ〜ｃにそれぞれ相当する。爪接触面部１２３ａ〜ｃは、バヨネット爪部の爪接触面部１１３ａ〜ｃにそれぞれ相当する。尚、図１５に示すマウント部の一部１２０は、以降、機能を説明する場合にマウント部１１０を代表するものとする。
【００３１】
図１４に示す本体部２００側の固定部２１０は、複数の締結部２１１ａ〜ｄを有しており、これらの締結部２１１ａ〜ｄにはタップ穴部が形成されている。固定マウント部２２０はほぼ円環形状であり、マウント面部２２１が開口部２２２の周囲に形成されている。開口部２２２は円形状である。マウント面部２２１は、レンズ装置１００のマウント面部１１１と当接する部分である。開口部２２２には、バヨネット爪部１１２ａ〜ｃが挿通される。雌ねじ部２２３は、図１４（Ｂ）に示すように、マウント面部２２１の背面側にて、光軸を中心にして配設される。複数の貫通穴部２２４ａ〜ｄは、固定マウント部２２０の外周部に形成されている。貫通穴部２２４ａ〜ｄにそれぞれ挿通されたビスは締結部２１１ａ〜ｄに締結され、固定マウント部２２０は固定部２１０に取り付けられる。固定マウント部２２０は外周縁部に、第１の当て面部２３１と、第２の当て面部２３２を有する。
【００３２】
可動マウント部２４０は、爪部２４１ａ〜ｃと、雄ねじ部２４３と、締結部２４４ａ〜ｄを備える。爪部２４１ａ〜ｃはそれぞれ爪接触面部２４２ａ〜ｃを有しており、レンズ装置１００のバヨネット爪部１１２ａ〜ｃとそれぞれ当接する。雄ねじ部２４３は可動マウント部２４０の外周面部に形成されており、固定マウント部２２０の雌ねじ部２２３と螺合する。図１４（Ｂ）に示すように、可動マウント部２４０の背面には複数の締結部２４４ａ〜ｄが形成されており、タップ穴部が配置されている。
【００３３】
一対の腕部２６０ａ及び２６０ｂは、回転操作部材１０９ａ、１０９ｂ（図２）と接続され、ロック機構部を成す部材である。腕部２６０ａ及び２６０ｂは、第１の当て面部２６５と第２の当て面部２６６を有する部分と、貫通穴部２６４ａ〜ｄが形成された取付部を備える。貫通穴部２６４ａ及び２６４ｂは腕部２６０ａに形成され、貫通穴部２６４ｃ及び２６４ｄは腕部２６０ｂに形成されている。貫通穴部２６４ａ〜ｄを挿通したビスは、可動マウント部２４０の締結部２４４ａ〜ｄに締結され、腕部２６０ａ及び２６０ｂは可動マウント部２４０の背面に取り付けられる。固定部２１０と固定マウント部２２０に挟まれた範囲において、腕部２６０ａ及び２６０ｂは可動マウント部２４０に対して外径方向に突設される。回転操作部材１０９ａ、１０９ｂの操作により、腕部２６０ａ及び２６０ｂを介して可動マウント部２４０が回動する。
【００３４】
次に、レンズ装置１００を本体部２００に固定する方法を説明する。
図１６は、レンズ装置１００を本体部２００に装着する場合の、レンズマウント要素の動作を順次に説明する正面図である。図１６（Ａ）は、レンズ装置１００のバヨネット爪部１１２ａ〜ｃと可動マウント部２４０の爪部２４１ａ〜ｃが、光軸に沿う方向から見た場合に重ならない位置（レンズの着脱可能位置）での状態を示す。図１７（Ａ）は、図１６（Ａ）の指示線Ａに沿う拡大断面図であり、図１８（Ａ）は、図１６（Ａ）のＤ部の詳細図である。
バヨネット爪部１１２ａ〜ｃは固定マウント部２２０の開口部２２２に挿通され、レンズ装置１００のマウント面部１１１と、本体部２００のマウント面部２２１とが当接する。これはレンズ装置１００の端部を本体部２００に挿入し、つき合わせた状態である。
【００３５】
図１６（Ｂ）は、光軸を中心にして、可動マウント部２４０を固定マウント部２２０に対して、反時計回り方向に回動させた状態を示す（腕部２６０ａ及び２６０ｂの位置を参照）。この状態でバヨネット爪部１１２ａ〜ｃと爪部２４１ａ〜ｃは、光軸に沿う方向から見た場合に重なっている。図１７（Ｂ）は、図１６（Ｂ）の指示線Ｂに沿う拡大断面図であり、図１８（Ｂ）は、図１６（Ｂ）のＥ部の詳細図である。図１７（Ｂ）にて、レンズ装置１００のマウント面部１１１と、爪接触面部１１３ａとの距離を矢印１５０で示す。また固定マウント部２２０のマウント面部２２１と、可動マウント部２４０の爪接触面部２４２ａとの距離を、矢印２５０で示す。
【００３６】
図１６（Ａ）、図１６（Ｂ）の状態では、雌ねじ部２２３と雄ねじ部２４３とが螺合しているため、爪部２４１ａ〜ｃは、可動マウント部２４０の回動と同時に光軸方向に沿って固定部２１０の側に移動する。
図１６（Ｃ）は、マウント部１１０の爪接触面部１１３ａ〜ｃと爪接触面部２４２ａ〜ｃとがそれぞれ当接するまで、可動マウント部２４０を回動させ、レンズ装置１００が本体部２００に嵌合して締結された状態を示す。爪接触面部１１３ａ〜ｃは、爪接触面部２４２ａ〜ｃとそれぞれ接触している。図１７（Ｃ）は、図１６（Ｃ）の指示線Ｃに沿う拡大断面図であり、図１８（Ｃ）は、図１６（Ｃ）のＦ部の詳細図である。
【００３７】
ねじ式レンズマウントの場合には、爪接触面部２４２ａ〜ｃと爪接触面部１１３ａ〜ｃとが係合する面は、本体部２００のマウント面部２２１よりも、レンズ装置１００側に設ける必要がある。このため、本体部の小型化には不向きである。
尚、雄ねじ部２４３と雌ねじ部２２３との関係は左ねじで、ねじ送り量が数ｍｍで、ねじピッチはその２分の１である。雄ねじ部２４３と雌ねじ部２２３とは、バヨネット式レンズマウントにて、レンズ装置１００の取り付け時の回転方向が本体部２００に対して時計回り方向であれば左ねじとなり、反時計回り方向であれば右ねじとなる。また、ねじ送り量が大きいほど、少ない回動操作量で大きな光軸方向の移動距離が得られる。つまり、ねじ送り量を大きくするほど、回動操作量に対する距離（図１７の矢印２５０参照）が大きくなる。例えば、図１７に矢印１５０で示す距離に関し、マウント部１１０の個体差によって仮にばらつきが生じても、ばらつき量を上回る距離に対して、少ない回転操作量でねじ部が移動可能になる。このため、本体部２００に対してレンズ装置１００を確実に締結することができる。反対に、ねじ送り量が小さいほど、締め付け軸力が上がる。つまり、締結力を大きく設定する場合には、ねじ送り量を小さくしなければならないため、ねじ送り量については適切に選択する必要がある。また、ねじ部同士が螺合するねじ山の数が多いほど、雄ねじ部２４３及び雌ねじ部２２３への応力集中が分散される。このため、狭いスペースで螺合するねじ山の数を多くし、かつ確実な締結と大きな締め付け軸力とを満たすねじ送り量に設定するためには、ねじピッチが小さく、ねじ送り量が大きい多条ねじを使用する。尚、雄ねじ部２４３と雌ねじ部２２３との間には摺動グリスが塗布されているので、ねじ部同士が擦れて回動時のざらつきを抑え、耐久性能と摺動感を向上させる効果を奏する。
【００３８】
この様に、レンズ装置を本体部に対して固定する構成において、ロック部材の一部を成す腕部を設けた可動マウント部が固定マウント部に係合した状態で回動する。可動マウント部を回動させながら、レンズ装置側マウントと本体部側マウントを互いに密着させることができる。また、前記したマウント接点構造により、レンズ装置と本体部との嵌合前における誘導範囲内で接点同士が摺動してセルフクリーニング効果が得られる。つまり、レンズ装置と本体部の一方に固定接点部を設け、他方の可動接点部を設けた構成において、レンズ装着の際、固定接点部と可動接点部とが接触状態を維持しつつ、可動接点部が回転する。可動接点部はレンズ装置の光軸方向に沿って移動し、回転により固定接点部との接触部の位置が移動した後、最終的にマウント部の嵌合が行われる。従って、本実施形態によれば、接点部同士の接触の信頼性を保ちつつ、着脱性を向上させることができる。
【００３９】
なお、レンズ装置に可動接点部を設け、撮像装置本体部に固定接点部を設ける実施形態の場合、撮像装置のマウント部にレンズ装置が装着される際、本体部の固定接点部に対して可動接点部が回転しつつ接触する。この場合、接点部同士の関係が前記の例とは逆転し、レンズ装置を本体部のマウント部に挿入するにしたがって、本体部の固定接点部と接触する可動接点の接触部が回転しつつ移動してセルフクリーニング効果を奏する。
【符号の説明】
【００４０】
１００‥‥レンズ装置
１０４‥‥接点端子片
１１０‥‥レンズマウント
１４１‥‥可動接点端子ピン
１４８‥‥接点端子バネ
１５１，１５２‥‥カム部
１５４‥‥凸部
２００‥‥（撮像装置の）本体部
２２０‥‥固定マウント部
２４０‥‥可動マウント部
２６０ａ，２６０ｂ‥‥腕部
【図１】
2015075586.tif 000003
【図２】
2015075586.tif 000004
【図３】
2015075586.tif 000005
【図４】
2015075586.tif 000006
【図５】
2015075586.tif 000007
【図６】
2015075586.tif 000008
【図７】
2015075586.tif 000009
【図８】
2015075586.tif 000010
【図９】
2015075586.tif 000011
【図１０】
2015075586.tif 000012
【図１１】
2015075586.tif 000013
【図１２】
2015075586.tif 000014
【図１３】
2015075586.tif 000015
【図１４】
2015075586.tif 000016
【図１５】
2015075586.tif 000017
【図１６】
2015075586.tif 000018
【図１７】
2015075586.tif 000019
【図１８】
2015075586.tif 000020